(57)【要約】【課題】  カレンダーの使用者が、カレンダーに手書きにより書き込む手間を省くとこができ、インテリアとしてカレンダーの価値を下げることなく使用することができ、カレンダーの使用者毎の希望を取り入れることができ、また、予定情報や休日情報などを手帳等に書き写すことなく持ち歩くことができるようにしたオリジナルなカレンダーを提供する。【解決手段】  所定枚数のカレンダー用紙が綴じ合わせられているカレンダーにおいて、前記各カレンダー用紙は、切り取り用ミシン目により切り取り可能に形成された同一期間の月表示部が複数設けられ、前記月表示部には、複数に区分けされた日付表示欄を有し、前記日付表示欄の空白部に、前記カレンダーの使用者が所望する個別の表示が予め付されていることを特徴とする。【選択図】        図１
2005178007.tif 000002
【特許請求の範囲】
【請求項１】
所定枚数のカレンダー用紙が綴じ合わせられているカレンダーにおいて、
前記各カレンダー用紙は、複数に区分けされた日付表示欄を有する月表示部を備え、前記日付表示欄の空白部に、前記カレンダーの使用者が所望する個別の表示が予め付されていることを特徴とするカレンダー。
【請求項２】
所定枚数のカレンダー用紙が綴じ合わせられているカレンダーにおいて、
前記各カレンダー用紙は、切り取り用ミシン目により切り取り可能に形成された同一期間の月表示部が複数設けられ、前記月表示部には、複数に区分けされた日付表示欄を有し、前記日付表示欄の空白部に、前記カレンダーの使用者が所望する個別の表示が予め付されていることを特徴とすることを特徴とするカレンダー。
【請求項３】
前記個別の表示が、使用者の予定情報を示す表示であることを特徴とする請求項１又は請求項２に記載のカレンダー。
【請求項４】
前記個別の表示が、使用者の休日情報を示す表示であることを特徴とする請求項１又は請求項２に記載のカレンダー。
【請求項５】
前記個別の表示が、画像または写真であることを特徴とする請求項１又は請求項２に記載のカレンダー。
【請求項６】
前記各カレンダー用紙の裏面に、再剥離性粘着剤が設けられていることを特徴とする請求項１又は請求項２に記載のカレンダー。
【請求項７】
前記再剥離性粘着剤の表面には、剥離紙が剥離可能に設けられていることを特徴とする請求項６記載のカレンダー。
【発明の詳細な説明】
【技術分野】
【０００１】
本発明は、所定枚数のカレンダー用紙が切り取り可能に綴じ合わせられているカレンダーに関する。
【背景技術】
【０００２】
従来、１ヶ月単位で、複数に区分けされた日付表示欄を有する月表示部が印刷されたカレンダーが使用されている。（例えば、特許文献１及び２、参照）
これらのカレンダーは、不特定多数の人に使用されることを前提として作製されているので、予め国が定める国民の祝日など休日に該当する日について、その日付の色を赤色として印刷したり、休みであることがわかる各種の表示が施されている場合が多い。
【特許文献１】特開平９−３０１５０
【特許文献２】特開２０００−２１１２６６
【０００３】
しかしながら、国が定める祝日が、カレンダーを使用する人の全ての人にとって休みであるとは限らない。
例えば、仕事の都合により、国が定める祝日であっても、勤め先の事情などにより出勤する日であったり、また平日が休日となったりする場合もある。
このような場合には、カレンダーの使用者が個人的にカレンダーに記入を行うことで、カレンダー使用者自身の休みの予定がわかるようにするなどしている。
また、カレンダーの使用者は、カレンダーの日付表示欄の余白部にカレンダーの使用者毎に所望の予定情報を書き込んだり、記念日などの特別な日などにマークを付けたりして使用する場合が多い。
【０００４】
しかしながら、例えば、自営で商売を行っていたりしている場合に、汎用のカレンダーに対して自筆でこれらの書き込みを行うと、カレンダーの表示が汚くなり、店頭に飾るインテリアとしてカレンダーを活用したくても、見栄えが悪いものとなってしまい、店頭に飾るカレンダーとしてのイメージ上において好ましくなく、店頭に飾るカレンダーとして、書き込みを行わないで使用するための、もう１つ別の新たなカレンダーを用意するなどしなければならずコストがかかるという問題もある。
更に、毎年、新たなカレンダーを購入して使用する場合に、手書きにより予定情報を書き込んだり、休日や、記念日などの特別な日などにマークなどを付け加えるのは、手間がかかり、面倒でもあるという不便がある。
【０００５】
また、予定情報や、休日などの情報は、カレンダーに記入すると共に、手帳などにも記入して持ち歩き、必要な時にいつでも確認できるようにする場合が多く、これらの情報をカレンダーと手帳の両方に記入するのは、手間がかかり、面倒でもあるという不便がある。
【発明の開示】
【発明が解決しようとする課題】
【０００６】
本発明は、カレンダーの使用者が、カレンダーに手書きにより書き込む手間を省くとこができ、インテリアとしてカレンダーの価値を下げることなく使用することができ、カレンダーの使用者毎の希望を取り入れることができ、また、予定情報や休日情報などを手帳等に書き写すことなく持ち歩くことができるようにしたオリジナルなカレンダーを提供する。
【課題を解決するための手段】
【０００７】
本発明のカレンダーは、所定枚数のカレンダー用紙が綴じ合わせられているカレンダーにおいて、前記各カレンダー用紙は、複数に区分けされた日付表示欄を有する月表示部を備え、前記日付表示欄の空白部に、前記カレンダーの使用者が所望する個別の表示が予め付されていることを特徴とする。
【０００８】
また、本発明のカレンダーは、所定枚数のカレンダー用紙が綴じ合わせられているカレンダーにおいて、前記各カレンダー用紙は、切り取り用ミシン目により切り取り可能に形成された同一期間の月表示部が複数設けられ、前記月表示部には、複数に区分けされた日付表示欄を有し、前記日付表示欄の空白部に、前記カレンダーの使用者が所望する個別の表示が予め付されていることを特徴とすることを特徴とする。
【０００９】
更に、本発明のカレンダーは、前記個別の表示が、使用者の予定情報を示す表示であることを特徴とする。
【００１０】
また、本発明のカレンダーは、前記個別の表示が、使用者の休日情報を示す表示であることを特徴とする。
【００１１】
更に、本発明のカレンダーは、前記個別の表示が、画像または写真であることを特徴とする。
【００１２】
また、本発明のカレンダーは、前記各カレンダー用紙の裏面に、再剥離性粘着剤が設けられていることを特徴とする。
【００１３】
更に、本発明のカレンダーは、前記再剥離性粘着剤の表面には、剥離紙が剥離可能に設けられていることを特徴とする。
【発明の効果】
【００１４】
本発明のカレンダーは、カレンダーの使用者が所望する個別の表示が予め付されているので、カレンダーの使用者が、カレンダーに手書きにより書き込む手間を省け、インテリアとしてカレンダーの価値を下げることがないという効果がある。
【００１５】
また、本発明のカレンダーは、カレンダーの使用者が所望する個別の表示が予め付されている月表示部が切り取り可能に複数設けられているので、手帳などに同じ内容の予定情報などを書き写さなくても、一方の月表示部を切り離して持ち歩けるという効果がある。
【００１６】
更に、本発明のカレンダーは、再剥離性粘着剤により手帳などに簡単に貼り付けることができるという効果がある。
【発明を実施するための最良の形態】
【００１７】
以下、図面を参照しながら本発明の実施形態を詳述する。
図１は、本発明の実施形態に係るカレンダーにおいて、１月の月表示部が表示されたカレンダー用紙を最上位とした状態の平面図、図２は、本発明の実施形態に係るカレンダーのカレンダー用紙の裏面図、図３は、図１のＡ−Ａ線断面図、図４は、本発明の実施形態に係るカレンダーから１月のカレンダー用紙を切り離し、剥離紙を剥離した状態を示す断面図、図５は、本発明の実施形態に係るカレンダーの切り取りミシンから１月の大小サイズのカレンダー用紙を各々切り離した状態を示す平面図、図６は、本発明の実施形態に係るカレンダーおける１月の小サイズのカレンダー用紙を手帳に貼付させた状態を示す斜視図である。
【００１８】
本発明の実施形態に係るカレンダー１は、ベースシートとなる台紙２と、台紙２の上方に重ねられて設けられた１２枚のカレンダー用紙４を有するカレンダー部とから構成されている。
カレンダー部の１２枚のカレンダー用紙４は、上端辺縁部で接着剤８により接着され、更にカレンダー部の最下位のカレンダー用紙４における上端辺縁部と、台紙２とが接着剤９より接着されて一体化してある。
【００１９】
また、各々のカレンダー用紙４には、同一期間の月表示部５ａ，５ｂが大小の異なるサイズで２つ並んで表示されている。
図１においては、同じ１月の月表示部５ａ，５ｂが大小の異なるサイズで２つ並んで表示されている。
この２つの同一期間の月表示部５ａ，５ｂは、カレンダー用紙に形成されている切り取り用ミシン目６，７によりカレンダー片４ａ，４ｂとして切り取ることができるように構成されている。
【００２０】
２つの同一期間の月表示部５ａ，５ｂには、複数に区分けされた日付表示欄１０ａ，１０ｂを有し、日付表示欄１０ａ，１０ｂの空白部に、それぞれカレンダーの使用者が所望する個別の表示が予め付されている。
つまり、２つの同一期間の月表示部５ａ，５ｂに同じ内容の表示がそれぞれ付されている。
カレンダーの使用者が所望する個別の表示とは、例えば、使用者の予定情報１１ａ，１１ｂ、使用者の休日情報１２ａ，１２ｂ、使用者が所望する画像または写真１３ａ，１３ｂなどがある。
【００２１】
ここで、使用者の予定情報１１ａ，１１ｂとしては、例えばプライベートな旅行予定、結婚式や誕生会などのパーティーや会食の予定、コンサートや演劇などの鑑賞予定、などがある。
また、使用者の休日情報１２ａ，１２ｂとしては、特に国民の祝日や休日以外の平日を休日とする勤務体系としている者において、年間を通じて休日が決まっている場合には、予めそのカレンダーの使用者における休日を表示しておく。
また、使用者が所望する画像または写真１３ａ，１３ｂとしては、カレンダーの使用者の趣味や希望などに応じて、例えば富士山などの風景、動植物、人物などの写真や絵画を表示しておくことで、使用者が望む様々なデザインを有するカレンダーを使用者毎に提供できるようにしてある。
【００２２】
更に、図１に示すように、台紙２の表面の所定部分に、カレンダーの使用者名などの個人名を表示しておくことが好ましい。
このカレンダーの使用者名を表示しておくことで、誰が使用するためのカレンダーであるのかがわかると共に、そのカレンダーを見ればその使用者のスケジュールを知ることもできて、今後のスケジュール予定を組んだりする場合に好ましい。
【００２３】
これら日付表示欄１０ａ，１０ｂに表示されている、カレンダーの使用者が所望する個別の表示は、カレンダーを作製する段階で全て表示されて、年末に翌年分のカレンダーが使用者に渡されるようにすることで、各々の使用者毎が自分の予定情報などが予め表示されたパーソナルなカレンダーを年初から使用できるようにすることが好ましい。
【００２４】
本発明のカレンダー１は、カレンダーを使用者する各人毎のパーソナルな情報を予め表示させるため、カレンダーを作製する前段階で、カレンダー使用者から事前にカレンダーの使用者がカレンダーに表示させたい所望の個別表示について情報収集した後に、デジタルプリンターなどにより個人毎の情報をカレンダー用紙にプリント出力するなどして作製する。
また、カレンダーに表示する画像や写真なども、デジタルデータとして記憶させた情報をカレンダー使用者の希望に応じて、カレンダー用紙の所定部分に表示させる。
【００２５】
図３に示すように、各カレンダー用紙４の裏面の所定部分には、再剥離性粘着剤１４が帯状に塗布され、この再剥離性粘着剤１４の塗布面には、剥離紙１５が剥離可能に設けられている。
再剥離性粘着剤１４は、貼り付けと剥離とを繰り返して行える公知の粘着剤であり、塗布部分は、各カレンダー用紙４の略全面でもよいし、一部でもよい。
この再剥離性粘着剤１４により、各カレンダー用紙４を使用者が望む場所や物などに貼付させて見ることができるようにしてある。
【００２６】
次に、カレンダー１の使用方法を、図４乃至図６に基づいて説明する。
カレンダー１の使用者は、図４及び図５に示すように、横方向に形成されている切り取り用ミシン目７から、その月のカレンダー用紙４を切り取った後に、縦方向に形成されている切り取り用ミシン目６から、２つの同一期間の月表示部５ａ，５ｂが分離するように切り離す。
そして、カレンダー用紙４を２つに分離したカレンダー片４ａ，４ｂのそれぞれの裏面から剥離紙１５を剥離して、各々のカレンダー片４ａ，４ｂを使用者が望む場所や物などに再剥離性粘着剤１４により貼付する。
【００２７】
特に、サイズの小さなカレンダー片４ｂは、使用者が持ち歩く手帳などに貼付することで、どこでも、いつでも予定を確認することができる。
また、このカレンダー片４ｂとまったく同一に内容が表示されているカレンダー片４ａを、自宅などの所定の場所に貼付させておけば、家族の人がこれを見て、カレンダーの使用者である例えば主人のスケジュールなどを確認できる。
なお、サイズの小さなカレンダー片４ｂは、当月を切り取ったとき、次月の小さなカレンダー片部が視認できるように構成しておくと、便利である。
【図面の簡単な説明】
【００２８】
【図１】本発明の実施形態に係るカレンダーにおいて、１月の月表示部が表示されたカレンダー用紙を最上位とした状態の平面図である。
【図２】本発明の実施形態に係るカレンダーのカレンダー用紙の裏面図である。
【図３】図１のＡ−Ａ線断面図である。
【図４】本発明の実施形態に係るカレンダーから１月分のカレンダー用紙を切り離し、剥離紙を剥離した状態を示す断面図である。
【図５】本発明の実施形態に係るカレンダーの切り取りミシンから１月の大小サイズのカレンダー用紙を各々切り離した状態を示す平面図である。
【図６】本発明の実施形態に係るカレンダーおける１月の小サイズのカレンダー用紙を手帳に貼付させた状態を示す斜視図である。
【符号の説明】
【００２９】
１  カレンダー
２  台紙
４  カレンダー用紙
４ａ，４ｂ  カレンダー片
５ａ，５ｂ  月表示部
６，７  切り取り用ミシン目
８，９  接着剤
１０ａ，１０ｂ  日付表示欄
１１ａ，１１ｂ  使用者の予定情報
１２ａ，１２ｂ  使用者の休日情報
１３ａ，１３ｂ  画像または写真
１４  再剥離性粘着剤
１５  剥離紙
１６  手帳
【図１】
2005178007.tif 000003
【図２】
2005178007.tif 000004
【図３】
2005178007.tif 000005
【図４】
2005178007.tif 000006
【図５】
2005178007.tif 000007
【図６】
2005178007.tif 000008